(57)【特許請求の範囲】
【請求項１】
ファインダー光路に配置されるフォーカシングスクリーンと、該フォーカシングスクリーンを保持する保持枠と、該保持枠を係止し保持する保持部材と、を備え、
該保持部材の係止を解除して前記保持枠を移動させることにより、前記フォーカシングスクリーンの交換が可能なフォーカシングスクリーン保持機構において、
前記保持部材は、前記保持枠との係止を解除するために第１の変形方向に弾性変形する第１のバネ部と、該第１の変形方向とは異なる第２の変形方向の一方の端部が長穴部を介して前記第２の変形方向に移動可能に支持され、前記第１のバネ部の弾性変形と同時に前記第２の変形方向に弾性変形して、前記第１のバネ部が弾性変形する際に発生する応力を分散する第２のバネ部と、を有する、ことを特徴とするカメラのフォーカシングスクリーン保持機構。
【請求項２】
前記第２の変形方向は、前記第１の変形方向と略直交し、かつ、前記ファインダー光路の光軸方向と略直交する方向である、ことを特徴とする請求項１に記載のカメラのフォーカシングスクリーン保持機構。
【請求項３】
前記保持部材は、少なくとも２箇所の変形規制位置と、前記フォーカシングスクリーンとは異なる部材を保持するアーム部と、を有し、
前記第２のバネ部と前記アーム部との間に、前記変形規制位置が配置される、ことを特徴とする請求項１又は２に記載のカメラのフォーカシングスクリーン保持機構。
【請求項４】
前記変形規制位置は、前記フォーカシングスクリーンの幅より外側に配置される、ことを特徴とする請求項３に記載のカメラのフォーカシングスクリーン保持機構。
【発明の詳細な説明】
【技術分野】
【０００１】
本発明は、例えば、一眼レフカメラ、スチールビデオカメラ等のフォーカシングスクリーン保持機構に関し、特に取り外し可能なフォーカシングスクリーンを有するカメラのフォーカシングスクリーン保持機構に関する。
【背景技術】
【０００２】
従来のカメラのフォーカシングスクリーン保持機構としては、例えば、フォーカシングスクリーンを保持する保持枠と、保持枠を開閉自在に支持するヒンジ手段と、保持枠を閉状態に係止し、保持する保持部材とを備えるものがある（特許文献１）。
【０００３】
図９に、従来のカメラのフォーカシングスクリーン保持機構の具体例を示す。
【０００４】
このフォーカシングスクリーン保持機構は、コンデンサーレンズ（不図示）、ペンタプリズム（不図示）を保持するプリズムホルダー１００を備える。プリズムホルダー１００は、箱形状の支持体であって、その下側に、焦点検出領域を示す指標を焦点検出時に点灯させるための反射板１０２と、フォーカシングスクリーン１０１とを保持する。
【０００５】
プリズムホルダー１００の後端には、フォーカシングスクリーン１０１を収納する保持枠１０３の回転中心となる軸受（ヒンジ手段）１０６と反射板１０２の保持面とが設けられ、プリズムホルダー１００の前端には、保持部材１０４の取付面が設けられる。
【０００６】
保持部材１０４は、プリズムホルダー１００の前端に固着された薄板部材であり、中央部に２つの孔１０４ａ，１０４ｂと１つのバネ部１０ｆが設けられ、両側部に２つのアーム部１０４ｃ，１０４ｄが設けられる。
【０００７】
そして、保持部材１０４の２つの孔１０４ａ，１０４ｂとこれに対応するプリズムホルダー１００の孔（不図示）とにピン１０５を挿入した後、該ピン１０５を加締めることによって、保持部材１０４がプリズムホルダー１００の前端に固着される。
【０００８】
反射板１０２は、前端部に２つの突起部１０２ｈ，１０２ｉが設けられており、２つの突起部１０２ｈ，１０２ｉは、保持部材のアーム部１０４ｃ，１０４ｄにより下側から支持される。
【０００９】
また、保持枠１０３の前端部には、突起部１０３ａが設けられ、該突起部１０３ａが、保持部材１０４のバネ部１０４ｆに設けられた孔部１０４ｅに弾性的に係止することにより、フォーカシングスクリーン１０１が保持枠１０３内に保持される。
【００１０】
そして、フォーカシングスクリーン１０１を交換する際には、保持部材１０４のバネ部１０４ｅの弾性を利用して、孔部１０４ｅと保持枠１０３の突起部１０３ａとの係止状態を解除する。これにより、保持枠１０３が軸受１０６を支点に開く方向に回動して、フォーカシングスクリーン１０１の交換を容易に行うことができる。
【特許文献１】特開平８−５４６６６号公報
【発明の開示】
【発明が解決しようとする課題】
【００１１】
ところで、上記特許文献１では、保持部材１０４のバネ部１０４ｆに設けられた孔部１０４ｅに係止された保持枠１０３の突起部１０３ａが衝撃などで不用意に外れないように、バネ部１０４ｆには十分な弾性力が必要である。
【００１２】
しかし、保持部材１０４は、カメラ内のレイアウト上、狭い空間内に配置しなければならないため、バネ部１０４ｆの長さを長くして十分な弾性力を得ることは困難である。そのため、保持部材１０４の個体ばらつきや経年変化により、落下などの衝撃で不用意に保持部材１０４の孔部１０４ｅから保持枠１０３の突起部１０３ａが外れてしまう虞れがある。
【００１３】
そこで、本発明は、保持部材の個体ばらつきや経年変化により、落下などの衝撃で不用意に保持部材から保持枠が外れるのを防止することができるカメラのフォーカシングスクリーン保持機構を提供することを目的とする。
【課題を解決するための手段】
【００１４】
上記目的を達成するために、本発明は、ファインダー光路に配置されるフォーカシングスクリーンと、該フォーカシングスクリーンを保持する保持枠と、該保持枠を係止し保持する保持部材と、を備え、該保持部材の係止を解除して前記保持枠を移動させることにより、前記フォーカシングスクリーンの交換が可能なフォーカシングスクリーン保持機構において、前記保持部材は、前記保持枠との係止を解除するために第１の変形方向に弾性変形する第１のバネ部と、該第１の変形方向とは異なる第２の変形方向の一方の端部が長穴部を介して前記第２の変形方向に移動可能に支持され、前記第１のバネ部の弾性変形と同時に前記第２の変形方向に弾性変形して、前記第１のバネ部が弾性変形する際に発生する応力を分散する第２のバネ部と、を有する、ことを特徴とする。
【発明の効果】
【００１５】
本発明によれば、保持部材の変形により生じる内部応力を分散することができ、塑性変形せずに十分な弾性力を保持部材に安定的に発生させることができる。これにより、保持部材の個体ばらつきや経年変化により、落下などの衝撃で不用意に保持部材から保持枠が外れるのを防止することができる。
【発明を実施するための最良の形態】
【００１６】
以下、本発明の実施の形態の一例を図面を参照して説明する。
【００１７】
図１は、本発明の実施の形態の一例であるフォーカシングスクリーン保持機構を備えるカメラの一例としての一眼レフカメラの概略断面図である。
【００１８】
図１に示すように、この一眼レフカメラは、カメラ本体３に、撮影光学系２を含む撮影レンズ１が着脱可能に装着される。カメラ本体３は、撮影光学系２を透過した光の少なくとも一部を反射するミラー４を備える。非撮影時には、撮影光学系２を透過した光束は、ミラー４によりファインダー光学系へと導かれる。また、撮影時には、ミラー４が退避し、撮影光学系２を透過した光束は、撮像素子５に到達する。
【００１９】
ファインダー光学系は、ミラーボックス６に保持されるフォーカシングスクリーン７（図１中、斜線ハッチング部）、反射板８（図１中、格子線ハッチング部）、およびワッシャ部材９を備える。
【００２０】
フォーカシングスクリーン７は、ミラー４により導かれた光束から光学像を形成するマット面７ｂと、下流側のファインダー光学系に光をより多く導くためのフレネル面７ｃとを有する。
【００２１】
反射板８は、焦点検出領域を示す指標を形成する反射面を有し、焦点検出領域点灯光学系１３より投光された光を反射し、焦点検出時に、焦点検出領域を示す指標を点灯させることを可能にする。
【００２２】
ワッシャ部材９は、フォーカシングスクリーン７と反射板８との間に配置されて、フォーカシングスクリーン７のマット面７ｂを撮像素子５の撮像面とミラー７に対して対称な位置に配置することを可能にする調整部品である。このように配置することで、実際に撮影される画像と観察されるファインダー像のフォーカス具合を揃えることができる。
【００２３】
図２は、フォーカシングスクリーン７、反射板８、およびワッシャ部材９の斜視図である。
【００２４】
図２において、反射板８の突起部８ａ、ワッシャ部材９の突起部９ａ，９ｄ、フォーカシングスクリーン７の突起部７ａは、カメラ内で撮像素子５側（図１の右側）に配置される。フォーカシングスクリーン７、反射板８、およびワッシャ部材９は、それぞれの突起部７ａ，８ａ，９ａがミラーボックス６に設けられた孔部（不図示）に嵌合されて、カメラの左右方向（図１の紙面奥行き方向）の位置決めが精度よくなされる。
【００２５】
図１に戻って、ファインダー光学系は、更に、視野マスク１０、ペンタプリズム１１、接眼光学系１２、焦点検出領域点灯光学系１３、およびＬＥＤ基板１４を備える。
【００２６】
視野マスク１０は、ファインダー光学系の視野を決定するもので、ミラーボックス６に対して位置決め固定される。ペンタプリズム１１は、フォーカシングスクリーン７を透過した光を反射し、接眼光学系１２に光を導く。
【００２７】
接眼光学系１２は、本実施形態では、３枚のレンズ１２ａ，１２ｂ，１２ｃにより構成されており、レンズ１２ｂを光軸方向に移動させることにより、視度を調整することができる。焦点検出領域点灯光学系１３は、ＬＥＤ基板１４に実装されたＬＥＤの発光光を、反射板８の反射面に形成された焦点検出領域を示す指標８ｂ（図２参照）に導く。反射板８を反射した光は、再びペンタプリズム１１、接眼光学系１２を透過し、ファンダー観察者は、ファインダー光学像と重なった状態で、指標８ｂを観察することができる。
【００２８】
この指標８ｂは、３点の焦点検出領域を示し、焦点検出領域点灯光学系１３、およびＬＥＤ基板１４に実装されたＬＥＤにより、それぞれ独立して点灯することができる。
【００２９】
視野マスク１０は、フォーカシングスクリーン７のマット面７ｂの近傍に配置すると、視野マスク１０の端面とマット面７ｂに映し出される光学像との視度をあわせることができる。本実施形態では、ワッシャ部材９の交換作業性、反射板８の焦点検出領域を示す指標８ｂとフォーカシングスクリーン７のマット面７ｂとの視度ずれを優先し、上述したように配置している。
【００３０】
なお、本実施形態では、ファインダー系への迷光防止のため、フォーカシングスクリーン７、反射板８、ワッシャ部材９、ペンタプリズム１１の入射面を撮影レンズ光軸に対して傾けて配置している。ただし、必ずしもこのようにする必要はなく、前記入射面を撮影レンズ光軸に対して平行に配置してもよい。
【００３１】
次に、図３〜７図を参照して、本発明の実施の形態の一例であるフォーカシングスクリーン保持機構について説明する。
【００３２】
図３は本発明の実施の形態の一例であるフォーカシングスクリーン保持機構を説明するための斜視図であり、図３（ａ）はフォーカシングスクリーンの収納状態、図３（ｂ）はフォーカシングスクリーンの交換可能状態である。
【００３３】
図３に示すように、本実施形態のフォーカシングスクリーン保持機構は、フォーカシングスクリーン７を収納する保持枠１５と、フォーカシングスクリーン７の収納時（図３（ａ））に、保持枠１５を係止して保持する保持部材１９とを備える。
【００３４】
保持枠１５には、フォーカシングスクリーン７を押し上げる押し上げバネ１６が一体に組み付けられている。
【００３５】
図４は保持枠１５に押し上げバネ１６を組み付ける方法を説明するための斜視図であり、（ａ）は組み付け前の状態、（ｂ）は組み付け後の状態である。
【００３６】
保持枠１５に押し上げバネ１６を組み付けるには、まず、図４（ａ）に示すように、押し上げバネ１６の引っ掛け部１６ａを矢印Ａ方向に変形させながら、保持枠１５の長穴部１５ａに角度位相を合わせて挿入する。次に、矢印Ｂ方向に（図１中、上から下へ）押し上げバネ１６を変形させ、保持枠１５の側面に設けられた側面引っ掛け部１５ｃに引っ掛ける。
【００３７】
その結果、押し上げバネ１６は、保持枠１５の長穴部１５ａ（２箇所）、側面引っ掛け部１５ｃ（２箇所）、前端引っ掛け部１５ｄの計５箇所で固定される。これにより、押し上げバネ１６が不用意に外れることなく、ファインダー光束を遮らない位置に押し上げバネ１６を配置することができる。
【００３８】
図４（ｂ）に示すように、押し上げバネ１６の押し上げ部１６ｂは、フォーカシングスクリーン７の収納時に、フォーカシングスクリーン７を上方向に押し上げて、反射板８、ワッシャ部材９と共にミラーボックス６の突き当て面（不図示）に押し付ける。これにより、フォーカシングスクリーン７の交換作業を繰り返し行っても、フォーカシングスクリーン７をカメラ内で同じ高さ、すなわち撮像素子５の撮像面と光学的に同じ位置に収納することができる。
【００３９】
また、図４（ｂ）に示すように、保持枠１６の前端側底部には、緩衝材１７が設けられ、緩衝材１７は、ミラー４が撮影時に退避した際に、ストッパーとなる。緩衝材１７は、保持枠１５に固定された緩衝材保持部材１８によって保持されている。
【００４０】
保持部材１９は、図３（ａ）に示すように、左右方向（カメラの左右方向）に長いバネ部（第２のバネ部）１９ｊの長手方向の一端部（図３の左端部）にアーム部１９ａ，１９ｂが設けられ、他端部（図３の右端部）にアーム部１９ｃ，１９ｄが設けられている。
【００４１】
フォーカシングスクリーン７の交換可能状態（図３（ｂ））では、ワッシャ部材９の突起部９ｂ，９ｃ（図２）をそれぞれアーム部１９ａ，１９ｄの先端が保持し、また、ワッシャ部材９の突起部９ａ，９ｄ（図２）をミラーボックス６の穴部（不図示）が保持する。これにより、フォーカシングスクリーン７の交換時にワッシャ部材９の落下を防止することができる。
【００４２】
同様に、反射板８の突起部８ｃ，８ｄ（図２）をそれぞれアーム部１９ｂ，１９ｃが保持し、反射板８の突起部８ａをミラーボックス６の穴部（不図示）が保持することにより、フォーカシングスクリーン７の交換時に反射板８の落下を防止することができる。
【００４３】
また、アーム部１９ｂ，１９ｃは、撮影レンズ光軸方向（図１の右方向）、および反射板８の法線方向（図１の上方向）に付勢力を発生し、反射板８をミラーボックス６に突き当てる。図１の右方向へ反射板８をミラーボックス６に突き当てることにより、撮影レンズ光軸方向の高精度な位置決めを可能とし、また、図１の上方向へ反射板８をミラーボックス６に突き当てることにより、ファインダー光学系へのゴミなどの侵入を防ぐことができる。
【００４４】
図３（ａ）に示すように、保持枠１５の後端には、フォーカシングスクリーン７の交換時に保持枠１５を回転可能に支持するヒンジ軸２１が設けられている。ヒンジ軸２１は、ミラーボックス６に設けられた穴部（不図示）に嵌合により支持されている。
【００４５】
次に、図５および図６を参照して、保持枠１５と保持部材１９との係止機構について説明する。
【００４６】
図５（ａ）は保持枠１５と保持部材１９とが係止されている状態を示す図、図５（ｂ）は保持枠１５と保持部材１９との係止が解除された状態を示す図である。図６（ａ）は図５（ａ）の右側から見た断面図、図６（ｂ）は図５（ｂ）の右側から見た断面図である。
【００４７】
なお、保持枠１５と保持部材１９とが係止されている状態は、フォーカシングスクリーン７の収納状態に対応し、保持枠１５と保持部材１９との係止が解除された状態は、フォーカシングスクリーン７の交換可能状態に対応する。
【００４８】
図５（ａ）に示すように、フォーカシングスクリーン７の収納状態においては、保持枠１５の左右方向の中央部に設けられた突起部１５ｂが、保持部材１９のバネ部１９ｊの左右方向の中央部に設けられた係止部１９ｉに弾性的に係止されている。
【００４９】
この状態から、フォーカシングスクリーン７の交換可能状態にするには、保持部材１９の係止部１９ｉの下側に設けられたつまみ部（第１のバネ部）１９ｈを、図６（ａ）の矢印方向に弾性変形させる。
【００５０】
これにより、保持部材１９の係止部１９ｉと保持枠１５の突起部１５ｂとの係止が解除され、押し上げバネ１６の付勢力により、保持枠１５がヒンジ軸２１を中心に回転し、ミラーボックス６に設けられたストッパー部（不図示）の位置まで移動する。その結果、フォーカシングスクリーン７は、カメラの左右方向（図５（ａ）の左右方向）以外の位置規制を失い、カメラの姿勢によって、回転した保持枠１５の位置まで移動して、交換可能状態となる。
【００５１】
上述したように、フォーカシングスクリーン７のカメラ左右方向の位置規制は、ミラーボックス６の孔部（不図示）に嵌合する突起部７ａにより行われるため、カメラ左右方向のみ位置規制された状態でフォーカシングスクリーン７は保持枠１５と一体に移動する。
【００５２】
フォーカシングスクリーン７の交換可能状態から収納状態にするには、保持枠１５を保持部材１９側に持ち上げることで、保持枠１５の突起部１５ｂが保持部材１９のつまみ部１９ｈを図６（ａ）の矢印方向に押し上げ、保持部材１９の係止部１９ｉに係止される。
【００５３】
フォーカシングスクリーン７の収納状態において、保持枠１５は、カメラ前後方向（図６の左右方向）に若干移動できる空隙５０をヒンジ軸２１との間に有している。そして、保持部材１９のつまみ部１９ｈが、その弾性力により保持枠１５、フォーカシングスクリーン７を共にカメラ後方（図６（ａ）で右方向）に付勢し、ミラーボックス６に突き当てる。この付勢力により、フォーカシングスクリーン７の交換作業を繰り返し行っても、カメラの前後方向の位置に関して精度よくフォーカシングスクリーン７を保持枠１５に収納することができる。
【００５４】
このように、フォーカシングスクリーン７は、収納時において、保持部材１９のつまみ部１９ｈによりカメラ後方（図６（ａ）の右方向）に付勢され、また、押し上げバネ１６によりカメラ上方（図６ａで上方向）に付勢される。この場合、各付勢力によるフォーカシングスクリーン７の摩擦力が、それぞれの付勢力より十分に小さくなるように設定することにより、フォーカシングスクリーン７の収納時の位置を精度よく保証することができる。
【００５５】
例えば、図７に示すように、保持部材１９による付勢力５１が、フォーカシングスクリーン押し上げバネ１６の付勢力５３に対して摩擦力５２を発生する。その摩擦力５２に対して、十分に大きな押し上げバネ１６の付勢力５３を設定することにより、フォーカシングスクリーン７を確実に押し上げることができる。
【００５６】
上記のように構成されたフォーカシングスクリーン保持機構は、図８に示すように、カバー部材２０により前面部が覆われる。
【００５７】
図８を参照して、カバー部材２０、および保持部材１９の固定方法について説明する。
【００５８】
カバー部材２０は、カメラの左右方向に長い板状部材であり、長手方向の一端部（図８の左端部）には、穴部２０ｂ，２０ｄが形成され、他端部（図８の右端部）には、穴部２０ａ，２０ｃが形成されている。また、保持部材１９のバネ部１９ｊの長手方向の一端部（図８の左端部）には、長穴部１９ｆが形成され、他端部（図８の右端部）には、穴部１９ｅ，１９ｇが形成されている。これらの穴部１９ｅ，１９ｇ，２０ｂ，２０ｄ，２０ａ，２０ｃ、および長穴部１９ｆは、保持枠１５に収納されたフォーカシングスクリーン７の幅より外側に配置されている。
【００５９】
カバー部材２０の穴部２０ａ，２０ｂは、保持部材１９の穴部１９ｅ、および長穴部１９ｆと共にミラーボックス６のボス６ａ，６ｂに嵌め込まれてミラーボックス６に対して位置決め固定される。また、カバー部材２０は、穴部２０ｃ，２０ｄを通じて、ミラーボックス６にビスにより固定される。
【００６０】
保持部材１９の穴部１９ｇは、カバー部材２０の穴部２０ｃのビス固定の際に、同時に固定される。カバー部材２０の穴部２０ｄのビス固定の際には、カバー部材２０とミラーボックス６との間に保持部材１９が配置され、撮影レンズ光軸方向に若干の空隙を有している。
【００６１】
このように保持部材１９を固定することにより、フォーカシングスクリーン７の交換作業の際、保持部材１９のつまみ部１９ｈを弾性変形させても、保持部材１９の穴部１９ｅおよび穴部１９ｇはミラーボックス６に位置決め固定されているため変位は発生しない。
【００６２】
一方、保持部材１９の長穴部１９ｆは、ビス固定されておらず、撮影レンズ光軸方向に空隙を有している。そのため、長穴部１９ｆがカメラ左右方向に移動することで、保持部材１９のバネ部１９ｊはカメラ左右方向に弾性変形することができる。
【００６３】
つまり、本実施形態のフォーカシングスクリーン保持機構は、保持部材１９のつまみ部１９ｈがカメラ前後方向（第１の変形方向）に弾性変形し、保持部材１９のバネ部１９ｊがカメラ左右方向（第２の変形方向）に弾性変形する。この場合、フォーカシングスクリーン７の幅より更に外側で保持部材１９の変位を規制しているので、保持部材１９のバネ部１９ｊの長さＬを十分に長くすることができる。
【００６４】
従って、本実施形態のフォーカシングスクリーン保持機構では、保持部材１９の変形により生じる内部応力を分散することができ、塑性変形せずに十分な弾性力を安定的に発生させることができる。これにより、保持部材１９の個体ばらつきや経年変化により、落下などの衝撃で不用意に保持部材１９の係止部１９ｉから保持枠１５の突起部１５ｂが外れるのを防止することができる。
【００６５】
また、保持部材１９のバネ部１９ｊの変形方向が、つまみ部１９ｈの変形方向およびファインダー光路の光軸方向に対して略直交する方向であるため、カメラ内で比較的自由度のある設計、レイアウトを行うことができる。
【００６６】
更に、保持部材１９の変形規制位置１９ｅ，１９ｆをフォーカシングスクリーン７の幅より更に外側としているので、ビスの雌ネジ部とファインダー有効光束とが干渉しないようにすることができる。これにより、加締めなどに比べて安価で分解作業性の良いビスによる固定方法を採用することができ、この結果、部品交換時に部品単品での交換が可能となり、交換コストを削減することができる。
【００６７】
更に、保持部材１９のバネ部１９ｊとアーム部１９ａ〜１９ｄとの間に保持部材１９の変形規制位置１９ｅ，１９ｆを配置しているので、アーム部１９ａ〜１９ｄは、バネ部１９ｊの変形の影響を受けずに、反射板８およびワッシャ部材９を保持することができる。
【００６８】
なお、本発明は、上記実施の形態に例示したものに限定されるものではなく、本発明の要旨を逸脱しない範囲において適宜変更可能である。
【図面の簡単な説明】
【００６９】
【図１】本発明の実施の形態の一例であるフォーカシングスクリーン保持機構を備える一眼レフカメラの概略断面図である。
【図２】フォーカシングスクリーン、反射板、およびワッシャ部材の斜視図である。
【図３】本発明の実施の形態の一例であるフォーカシングスクリーン保持機構を説明するための斜視図であり、（ａ）はフォーカシングスクリーンの収納状態、（ｂ）はフォーカシングスクリーンの交換可能状態である。
【図４】保持枠に押し上げバネを組み付ける方法を説明するための斜視図であり、（ａ）は組み付け前の状態、（ｂ）は組み付け後の状態である。
【図５】保持枠と保持部材との係止機構を説明するための図であり、（ａ）は係止状態、（ｂ）は係止解除状態である。
【図６】図５の右側から見た断面図であり、（ａ）は係止状態、（ｂ）は係止解除状態である。
【図７】保持部材による付勢力と押し上げバネの付勢力と摩擦力との関係を説明するための説明図である。
【図８】カバー部材、および保持部材の固定方法を説明するための分解斜視図である。
【図９】従来のフォーカシングスクリーン保持機構を説明するための分解斜視図である。
【符号の説明】
【００７０】
７      フォーカシングスクリーン
８      反射板
９      ワッシャ部材
１５    保持枠
１５ｂ  突起部
１９    保持部材
１９ｈ  つまみ部
１９ｉ  係止部
１９ｊ  バネ部
２０    カバー部材
【図１】
0004926880.tif 000002
【図２】
0004926880.tif 000003
【図３】
0004926880.tif 000004
【図４】
0004926880.tif 000005
【図５】
0004926880.tif 000006
【図６】
0004926880.tif 000007
【図７】
0004926880.tif 000008
【図８】
0004926880.tif 000009
【図９】
0004926880.tif 000010